(57)【特許請求の範囲】
【請求項１】
患者の流体保持または損失を測定するための装置であって、
流入容器中の流体を秤量して流入重量を出す第１の秤量装置、ここで流入容器は患者へ導入される流体を供給する；
流出容器中の流体を秤量して流出重量を出す第２の秤量装置、ここで流出容器は患者からの流体を集める；
第１および第２の秤量装置に結合された、流入重量と流出重量に従って患者の流体保持または損失を計算するプロセッサであって、流入容器または流出容器が取り替えられたかどうかを自動的に検知するところのプロセッサ；および
プロセッサに結合された、患者の流体保持または損失を表示する表示装置
を含む装置。
【請求項２】
流入容器または流出容器が除去されたことを示す、流入容器または流出容器の重量がゼロかどうかをプロセッサが自動的に検知する請求項１記載の装置。
【請求項３】
流入容器または流出容器が除去されたとき、プロセッサが使用者に合図する請求項２記載の装置。
【請求項４】
流入容器または流出容器の重量がゼロの後に増加するかどうかをプロセッサが自動的に検知し、この増加は流入容器または流出容器が取り替えられたことを示す請求項１記載の装置。
【請求項５】
流入容器または流出容器が取り替えられたとき、プロセッサが使用者に合図する請求項４記載の装置。
【請求項６】
取り替えられた容器のベースライン重量をプロセッサがリセットする請求項１記載の装置。
【発明の詳細な説明】
発明の背景
本発明は医療機器に関し、より特には、医療処置中の患者の流体保持レベルを監視するための医療機器に関する。
流体管理は、多くの医療処置において重大である。しばしば患者は比較的大量の生理的塩水または他の潅流流体にさらされる。いくつかの処置においては、流体が患者の体に導入されて、不純物を流し出す（例えば透析）。他の処置においては、流体が患者の体に導入されて、膨張媒体としてふるまう。これらの処置中、患者による過度の流体保持は危険であり、致命的ですらあり得る。
例として、電気外科処置例えば子宮鏡の子宮内膜切除および前立腺の経尿道切除は、不導電性潅注剤流体を膨張媒体として使用することを必要とする。患者による潅注剤流体の過度の吸収は有害であり得るので、操作室員はどれくらい多くの流体が患者に吸収されたかについて追跡することが重要である。
流体レベルを監視するために、多くの潅注剤バッグは、製造業者により予め満たされ、または流体レベルの標識を含む。操作室員は、入った流体の体積と出た流体の体積との差に従って、どれだけの量の流体が患者に吸収されたかについての流出の見積りを保持しようと試みることができる。しかしながら、起こり得る人による誤りの他に、製造業者が潅注剤バッグをあふれるほど一杯にしたり、またはバッグの流体レベル標識が厳密な測定のためにふさわしくなかったりするので、潅注剤バッグはごく普通には、正確な体積測定量を提供しない。したがって、患者の流体レベル保持を測定するこの方法は不正確であり、低い治療者の信頼をもたらす。
他の公知の流体保持管理システムは、患者へ流れ込む流体の速度と患者の外へ流れ出る流体の速度とを測定することに基づく。しかし、測定された速度の小さな誤りが、時間に亘る前流体保持における大きな誤りを生じ得る。したがって、この取り組みは、患者の流体保持の正確な測定値を提供しない。
ある内視鏡手術、特に治療上の子宮鏡処置または泌尿器科的処置中には、良好な可視性および腔の適当な膨張を見ることを確実にするために、著しい体積の潅注流体が患者に注入され、かつ患者から回収されなければならない。典型的な内視鏡は、1分当たり５００ｍｌより多い流量で作動する。典型的には、流体潅注剤バッグは、１〜３リットルの範囲であり、収集キャニスターは３リットル以下である。したがって、数分毎に、巡回する看護婦が、血で汚れた流体で汚染されてくることを含む収集キャニスターを交換しなければならない。看護婦は次に、潅注剤バッグを交換することができるように、すばやく手袋を交換しなければならない。
この筋書きでは、看護婦は連続して流体管理に従事し、頭上に重い潅注バッグを持ち上げ、重い収集キャニスターを交換するためにかがむことを必要とされる。さらに、患者によるいかなる過度（例えば１．５リットルより多い）の流体吸収をも、治療者に知らせ続けるために、看護婦は絶えず、流体の損失状態を知っていなければならない。
発明の要旨
本発明は、患者の流体保持を測定する非常に正確な方法およびシステムを提供する。本発明によれば、患者の流体保持または損失は、流入量を出すために患者へ導入された流体を秤量し、流出量を出すために患者から集めた流体を秤量し、流入量と流出量との差を計算する（この差は、患者の流体保持または損失を示す）ことにより決定される。その上、流体量は、オペレータにより入力された流体の比重で流体の重量を割ることによって計算される体積であり得る。
本発明の実施態様は、患者の流体保持または損失を測定する方法を提供し、この方法は次の段階を含む：
流入容器が患者へ導入される流体を供給するように、流入容器中に流体を貯蔵すること；流入容器中の流体を秤量して流入量を出すこと；流出容器が患者から集めた流体を受け取るように、流出容器中に流体を貯蔵すること；流出容器中の流体を秤量して流出量を出すこと；流入容器または流出容器を取り替えるかどうかを自動的に検出すること；および流入量と流出量との差を計算し、この差が、患者の流体保持または損失を示すこと。容器が除去され、容器が取り替えられたら、音および／または可視の信号によって、使用者は合図され得る。
本発明の別の面は、流入および流出容器に向かうのに必要とされる時間の量を減らす、患者の流体管理のためのシステムを提供する。この流体管理システムは、患者に導入される流体を貯蔵するための流入容器；流入容器から患者への流体を手伝うための、流入容器に結合されたポンプ；および患者から集めた流体を貯蔵するための流出容器を含む。このポンプは、直接的に患者へ、または重力で流体が患者へ流れるところの潅注剤バッグへと、流体をポンプで送ることができる。
本発明の他の特徴および利点は、以下の記載および添付の図面を精読すると、容易に明らかとなるであろう。
【図面の簡単な説明】
図１は、本発明の流体保持管理のシステムを示す；
図２は、流体管理装置の構成図である；
図３Aはロードセルを示し、図３Bはひずみゲージブリッジを示し、その両方がはかりに使用され、図３Cは２重の曲げビームロードセルを示す；
図４は、はかりの回路構成を示す；
図５は、流体管理装置の入力および出力を示す；
図６は、流体モニターに結合されたディスプレイパネルを示す；
図７は、流体モニターのソフトウェアの状態図である；
図８は、患者の流体損失を測定する方法の高水準フローチャートである；
図９は、流体保持管理の別のシステムを示す；および
図１０は、流体保持管理の別のシステムを示す。
好ましい実施態様の詳細な記載
本発明は、患者に導入された流体の重量および患者から集められた流体の重量を用いて全流体保持量を計算するところの流体保持管理のための非常に正確な方法およびシステムを提供する。以下の段落で記載する実施態様は、患者の流体保持を測定するが、本発明はまた、流体損失を測定するために使用され得る。したがって、実施態様の記載は、説明するものであって限定するものではない。
図１は、本発明の流体保持管理システムを示す。流体保持管理システム10は、患者の体に導入される前に潅注剤流体を保有する潅注剤バッグ12を含む。潅注剤流体は、管14を通って潅注剤バッグから患者へと流れる。示されたように、潅注剤バッグは典型的には、患者より高く吊り下げられ、よって重力が、潅注剤流体が患者へと流れるのを助ける。２つの潅注剤バッグが示されているが、本発明では任意の数の潅注剤バッグを使用することができる。
潅注剤流体は、管16を通って患者から外へと流れ、収集キャニスター18に入る。示されているように、収集キャニスターは患者より低く吊り下げられることができ、よって重力が潅注剤流体をキャニスターに引き入れる。さらにキャニスター18は、吸引装置（図示していない）を、キャニスターに取付けて、患者から流れ出る流体を増加させるところの取付け具20を含む。キャニスターは連続および／または平行に連結されて、大量の有効な収集体積を与え得る。２つのキャニスターが示されているが、本発明では任意の数のキャニスターが使用され得る。
以下の記載において、潅注剤バッグを去った潅注剤流体は患者の体に入ることが想定される。かくして、患者の体に導入された潅注剤流体の量は、潅注剤バッグの重量変化から計算される。同様に、患者から流れ出た潅注剤流体は収集キャニスターに入ることが想定されるので、患者から集められた潅注剤流体の量を使用して患者の流体保持量を計算する。一般に、これらの仮定は真であるが、いくらかの潅注剤流体がこぼれ、よって治療者が流体モニターの読みを解釈し、いかなる必要とされる訂正をもするのが望ましい場合があり得る。
潅注剤バッグは、対応する潅注剤バッグを秤量するところのはかり22から吊り下げられる。典型的には、はかりは、IVポール（図示していない）から吊り下げられる。はかり22は、はかりで示された重量から、対応する潅注剤バッグの重量における変化を測定するところの流体モニター24に電気的に接続されている。
収集キャニスター18は、対応するキャニスターを秤量するところのはかり26から吊り下げられている。はかり26は、はかりで示された重量から、対応する収集キャニスターの重量における変化を測定するところの流体モニター24に電気的に接続されている。以下でより詳細に記載するように、流体モニターは、潅注剤バッグおよび収集キャニスターにおける重量変化を用いて、患者の流体保持量を決定する。流体モニターはディスプレイ上に、流入量、流出量および流体損失（流体保持量を反映する）を表示し、流体損失が閾値を超すかどうかオペレーターに警報する。
図２は、流体保持管理装置の構成図を示す。各はかり22および26は、ロードセル50、アナログ回路52およびアナログからデジタルへの(A-D)変換器54を含む。はかりは、対象物の重量を測定する装置である。示されているように、好ましい実施態様のはかりは、機械的重量センサーであるロードセル50を含む。ロードセルは、連続的に潅注剤バッグおよび収集キャニスターを秤量して、変化する電気抵抗を出す。各ロードセルからの変化する電気抵抗は、潅注剤バッグまたは収集キャニスターの重量変化に従ってそれぞれ変化する。
アナログ回路52は、変化する電気抵抗を受け取り、信号処理を行って、アナログ電気信号を生成し、この信号は、A-D変換器54によってデジタル電気信号に変換される。はかりからのデジタル信号またはカウントは、対応するバッグ／キャニスターおよびその中の任意の関連流体の重量を示す。これらのデジタル信号は流体モニター24へ入力される。
１つの実施態様においては、アナログ回路52は、ゲイン調整について正確な、著しく高い入力インピーダンス（低ドリフト、低ノイズ）差動計測増幅器および、オフセット調整（はかりのゼロ合せ）を備えた逆相(inverting)電圧フォロワ(voltage follower)を含む。アナログ電圧を、０〜10,000グラムのロードセルでの重量に対応して±２ボルト内で落ちるように調整する。A-D変換器54は、二重傾斜積分A-D変換器であり、これはその後、アナログ電圧を、-20,000〜+20,000のデジタルカウントに変え、１カウントは、±１カウント未満のノイズで、0.25グラムに対応する。A-D変換器の出力は、0〜20,000の範囲の2進化10進カウントおよび、次に流体モニターのデジタル回路60に入力されるところの符号ビットである。
デジタル回路は次に、A-D変換器からの2進化10進カウントに+20,000を加え、0〜40,000に16ビットのデジタル整数を生じる。この数は次に、最近4カウントに丸められ（rounded）、４で割られて、グラムに対応する非常に安定なデジタル値をもたらす。このグラム精密値は、それがディスプレイおよびロギングのために最近10立方センチメートルまたはccに丸められる（rounded）前に、デジタル回路による確実な決定のために使用される。
好ましい実施態様において、A-D変換器は、測定された重量に対応する、パルス幅および符号を生じる（例えばHarris ICL7135）。A-D変換器は、流体モニターにおいて300KHzクロックを用いて測定されるパルス幅を生じる。パルス幅はカウント（パルス幅の持続時間を表示する）に変換され、ここで各カウントは0.5グラムに等しい。カウントを次に、1000〜40,000の間の２進法の整数に変換する。すべての計算の結果は、表示されるまで、その全0.5グラム分解能に保持される。A-D変換器により示された全重量は11,000グラム以上であることが予想される。
流体モニターは、潅注剤バッグの重量変化を測定することによって、患者に導入された流体を秤量する。この重量変化を用いて、患者に導入された流体を示す流入量を出す。同様に、流体モニターは、収集キャニスターの重量変化を測定することによって患者から集めた流体を秤量する。この重量変化を用いて、患者から集めた流体を示す流出量を出す。好ましい実施態様において、流入量および流出量は体積であるが、あるいは重量を含む他の量であることができる。
流体モニター24はデジタル回路60を含む。デジタル回路は流体モニターの操作を制御し、電力変換調整回路62を通して電力を受け取る。流体モニターは流入量、流出量および流体損失量を、ディスプレイ64に表示する。もし、流体モニターが、流体損失が閾値を超えるかまたは危険であると決定すると、流体モニターは可視アラーム66および可聴アラーム68を作動させる。流体モニターはまた、装置の状態を示す状態表示器70を保持し、キー72を通して使用者からの入力を受け取る。コンピュータと連絡する（例えばアップローディングデータ）ために、流体モニターは直列接続74を含む。
図３Ａは、本発明のはかりにおいて使用され得るロードセルを示す。ロードセル50は、固定端100および秤量端102を含む。固定端は静止した支持体に留められ、一方秤量端は重み104を支える。重みは、潅注剤バッグまたは収集キャニスターであり得る。
固定端および秤量端を結合するのは、曲がり得るビーム106である。曲がり得るビームは、秤量端102に取り付けられた重みに応答して曲がる。ひずみゲージ108は、曲がり得るビームに取付けられる。ひずみゲージは、曲がり得るビーム106の曲がりに比例して抵抗を変える小さい圧電抵抗素子である。曲がり得るビームが重み104に応答して曲がると、ひずみゲージは、ロードセルによって支えられた重みに従って抵抗を変化させる。
図３Ｂは、はかりに使用されるためのひずみゲージブリッジを示す。好ましい実施態様において、４つのひずみゲージがひずみゲージブリッジに形作られる。ひずみゲージブリッジ120は、２つの参照ひずみゲージおよび２つの能動ひずみゲージを有するホイートストンブリッジである。参照ひずみゲージは、曲がり得るビームの曲げで、抵抗を変化させないが、圧電抵抗素子の抵抗に影響する温度変化について補償する。能動ひずみゲージは、曲がり得るビームの曲げで、抵抗を変化させるが、能動ひずみゲージの抵抗の変化は、反対方向にある（すなわち、１つで抵抗が増加すると、逆に他では減少する）。
約10ボルトＤＣの励起電圧が、Ｃ点およびＤ点でひずみゲージブリッジ120に施与される。Ａ点およびＢ点間に得られる電圧は、能動ひずみゲージの抵抗の変化に比例する。この得られた電圧は、高入力インピーダンスアナログ増幅器に施与され、結局、ロードセルの重量に比例するデジタルカウントに変換される。
図３Ｃは、本発明の好ましい実施態様で使用した二重曲がりビームロードセルを示す。ロードセル50は、ロードセルの曲がりビーム区画に置かれた、２つのひずみゲージ128を含むアルミニウムブロックである。このロードセルは、台130を用いて固定して据え付けられることができ、それによって潅注剤バッグまたは収集キャニスターがフック132に置かれると、二重の曲がり得るビームが、ひずみゲージにより検出される重量に応答して曲がる。
図４は、ひずみゲージブリッジ120、アナログ回路52およびA-D変換器54を含むはかりの回路構成を示す。アナログ回路は、高入力インピーダンス低ノイズ、低ドリフト差動計測増幅器150および逆相電圧フォロワ152を含む。計測増幅器は、３つの演算増幅器A1A、A1BおよびA1Cから構成される。A1AおよびA1Bは、高入力インピーダンス、著しく低いドリフトチョッパ安定化集積演算増幅器である。図４のように配列されると、それらは、正相(+)入力で１ギガオームを超える差動入力インピーダンスを示す。これは、ひずみゲージブリッジ上でのローディングの限定に有益であり、それによってその感度および線形性が維持される。アナログ回路のためのゲインはR1を経て調整され、およそ100である。演算増幅器A1Cは、差分信号を、増幅器A2に送られるアナログ接地に応答するシングルエンド信号に変換する。
電圧フォロワ152は、アナログ回路のゼロまたはバイアスを非対話型に調整させる、単位ゲイン逆相電圧フォロワであるところの演算増幅器A2を含む。演算増幅器A2の出力は、-2V〜+2Vの範囲にあり、-2Vはロードセルに重量なし（またはゼロ）に対応し、この出力は、A-D変換器54に直接送られる。精密、低ドリフト、10ボルト供給を使用して、ひずみゲージブリッジ励起電圧、ゼロ調整電圧およびA-D変換器のための参照電圧を調整する。このやり方で、10ボルト電力供給における変化が補償される。
A-D変換器54は、二重傾斜積算A-D変換器である。A-D変換器は、アナログ入力の1ボルト当たり10,000デジタルカウントを生じる。かくして、ゲインおよびゼロ調整が正しく設定されていると、０〜10,000グラム（およそ０〜10,000ccの水）は、-20,000〜+20,000カウントの出力を生じる。A-D変換器はまず、定めた時間にわたって、アナログ信号を積算する。1つの実施態様においては、この時間は1秒の1/30であり、よって60Hzの電力線ノイズが平均される。A-D変換器は次に、積算された参照電圧が、この時間で最終カウントが出力のために利用できるようになるところの積算されたアナログ信号に等しくなるまで、300KHzでカウントしながら、参照電圧を積算する。符号ビットはまた出力であるので、有効な40,000カウントの出力範囲が利用できる。
この実施態様においては、１カウントは0.25グラムに対応する。計数クロックおよび制御信号は、デジタル回路60からA-D変換器へ送られる。出力カウントは、一連の２進化10進数字としてデジタル回路に送られる。好ましくは、差動増幅器の高入力インピーダンスが維持され、アナログおよびデジタルの接地が離れている。さらに、すべての受動素子は好ましくは、低い温度係数で、高精密性である。好ましい実施態様において、1カウントは0.5グラムに対応し、この分解能は表示されるまで維持される。
図５は、流体管理装置の入力及び出力を示す。はかり22および26は、流体モニター24からクロックおよび制御信号を受け取る。はかりは、デジタル回路60の入力選別器170に重量カウントを与える。デジタル回路は、入力選別器を使用して、はかりからのデジタル重量カウントを1度に１つずつ読む。デジタル回路はまた、マイクロプロセッサ172およびクロック174を含む。マイクロプロセッサ172は、操作中、マイクロプロセッサのためのプログラムおよび関連データを貯蔵するためのメモリ176を含む。流体モニターの動作プログラムは、電力が上がると実行する、プログラム可能な読取り専用メモリ（PROM）178に貯蔵される。ログされたデータおよび比重を、バッテリー付きのランダムアクセスメモリ（RAM)180に貯蔵する。
A-D変換器182は、マイクロプロセッサと統合されて、連続した特徴の部分として、ある回路および電池電圧を定期的にチェックする。マイクロプロセッサは、ディスプレイ64、可視アラーム66、可聴アラーム68、状態表示器70、キー72および直列接続74と連結するコントローラーを含む。
流体モニターは、離れた15ボルトDC電力供給184から電力供給され得る。外部電力の故障中に、大きい内部鉛蓄電池186を使用する。電力供給184または電池186からの電力は、電力変換調整回路62によって調整される。好ましい実施態様において、このシステムは、+15、-15および+5ボルトのモジュラ供給（鉛畜電池の使用を必要としない）により電力を供給される。
図６は、流体モニターの表示（ディスプレイ）パネルを示す。表示パネル200は、流入読出し202、流出読出し204および流体損失読出し206（３つすべてがディスプレイ64である）を含む。流体モニターは、患者へ流入する流体の重量および患者から流出する流体の重量を連続的に監視する。流体モニターは、流体の比重を用いて、流体の重量を体積に変換する。流入体積は読出し202に表示され、流出体積は読出し204に表示される。流体モニターは、流入体積から流出体積を減じて流体損失を計算し、よって流体損失体積は患者の流体保持に等しい。好ましい実施態様において、流体体積は、0.01リットル（または10cc）の精度で、単位リットルで表示される。
表示パネル200はまた、使用者の入力のためのキーを含む。ディスプレイは、記録／待機キー208、無音アラームキー210、セットアップキー210およびリセットキー212を含む。その上、表示パネルは、上下矢印キー214を含む。表示パネルは、待機灯216および警報灯218を有する。表示パネルは、電池が低いときに点灯する電池電力灯220、使用者が潅注流体の流体タイプを入力すると点灯する流体タイプ選択灯222および使用者が流体損失警報閾値を入力すると点灯する警報閾値設定灯224を有する。これらの灯は、典型的にはLEDである。
好ましい実施態様において、表示パネルは交換灯226を有する。交換灯は、はかりの１つが不安定なとき、または流体容器交換中に安定性を確立するプロセスにおいて指示を出す。交換灯は可聴音を伴うことができる。このように、例えばオペレーターが収集キャニスターを除去して流体を空にすると、流体モニターは、収集キャニスターの重量が急速にゼロになる（または、除去された結果として重量が不安定である）ことを検知する。流体モニターは、可視および可聴の信号をオペレータに出して、不安定な条件が検知されたことを示す。一旦オペレータが空の収集キャニスターをはかりに戻すと、流体モニターは安定条件を検知し、可視および可聴の信号をオペレータに出して、安定条件が検知されたこと、および流体容器交換が完了したことを示す。流体モニターはまた、取り替えた流体容器のベースライン重量をリセットする。
流体容器が取りかえられたとき（例えばいっぱいの容器または空の容器で）を自動的に検知することによって、本発明は、患者の流体損失または保持を監視する上で、オペレーターに大きな自由を与える。オペレーターは、流体容器の取り替えのための複雑な工程を覚える必要がない。その代わりに、オペレーターは流体容器を交換し、流体モニターは、オペレーターの入力を必要とせずに、自動的に交換およびベースライン重量のリセットを検知する。
図７は、流体モニターの作動を命令するソフトウェアの状態図である。一般に、流体モニターは２つのモード：記録モードおよび待機モードのうちの１つにある。記録モードでは、流体が流れ、測定が行われ、記録され、そしてログされる。待機モードでは、流体は流れず、ログはとまり、そしてディスプレイはデータの現在値を反映する。記録されたデータはまた、待機モードでアップロードされ得る。好ましい実施態様において、実行ソフトウェアプログラムは、任意の瞬間に１つおよび１つだけのモード（記録モードまたは待機モード）にある。
本発明のソフトウェアプログラムは、流体モニターが事象に応答し、これらの事象に応答して取られる動作がシステムの現在の状態によって決定されることを意味する、事象およびさせられた状態である。一旦電力が入れられると、プログラムは待機モードに入り、流体モニターは状態０にある。状態０では、システムはメモリからの構成データを読み取ることを含む、初期化を行う。構成データは、システムID、可能な流体タイプの数および流体の各タイプの比重を含み得る。初期化中、システムは先のデータがメモリにログされているかどうか決定する。先のログされたデータがなお存在するなら、その流体のタイプについての値、流体損失警報閾値および流入、流出および流体損失についての値が、メモリから読出される。適当な待機灯116が点灯して先のデータが存在していることを示すと、値がディスプレイに表示される。先のデータが見つかると、システムは状態１に進む。さもなければ、先のデータが見つからなければ、システムは状態3に進む。
状態１において、システムは先のデータを保持し、リセットが必要とされる。システムをリセットするために、使用者は2秒より多くリセットキーを押し、そしてシステムは状態２へ進む。使用者はまた、状態１にある間、適当なコンピュータからケーブルを接続し、コンピュータでユーティリティプログラムを実行することによって、先のデータのアップローディングを初期化する。これは、リセットキーを押す前になされる。
一旦、使用者がシステムのリセットを初期化したら、システムは、状態２にある流体のベースライン重量および現在の重量を含む先のデータのログを消去する。ベースライン重量は、潅注剤バッグまたは収集キャニスターの初期重量である。このように、ベースライン重量は典型的には、一杯の潅注剤バッグおよび空の収集キャニスターの重量である。リセットすると、流体タイプについて最も最近に選ばれた値、および関連する比重、および流体損失警報閾値は消去されず、保持される。リセットした後、システムは状態3に進む。
システムは、多くの他の状態から状態３に到達し得る。もし、システムが状態０、状態２または状態４から状態３に進むと、システムは待機モードにある。待機モードでは、オペレーターは流体のタイプおよび流体損失警報閾値を選択することができる。初めに、オペレーターは、上向きおよび下向きの矢印114を用いて流体のタイプを選んで、特定の流体に対応する数を選ぶ。システムが待機モードにあると、ディスプレイでの読出しは、最近に選ばれた流体のタイプの数を表示する流出読出し102を除いて消去される。好ましい実施態様においては、流体およびその関連する流体のタイプ選択数は流体モニターの後ろに印字される。
待機モードで流体のタイプが選ばれた後、オペレーターはセットアップキーを押し、流体損失警報閾値を入れる。最近に選ばれた流体損失警報閾値が流体損失読出し104に表示され、オペレーターは、上向きおよび下向きの矢印114を用いて警報閾値を増加または減少させることができる。流体損失警報閾値は、0.01リットルの単位であり、流入量と流出量との差の値を確立し、それより上ではアラームが作動する。一旦、流体損失警報閾値が選択されると、オペレーターはセットアップキーを押し、システムは状態４へ進む。
もし、システムが状態６からの記録モードで状態３に到達すると、オペレーターは流体損失警報閾値を選択することのみできる。現在の流体損失警報閾値が、流体損失読出し104に表示される。オペレーターは、上向きおよび下向きの矢印114を用いて警報閾値を調整する。一旦、新しい流体損失警報閾値が選択されると、オペレーターはセットアップキーを押し、システムは状態６に戻る。
状態４においては、システムは待機しており、バックグラウンド監視のみが行われる。バックグラウンド監視は、電池をチェックして充分な電力が使用可能であることを保証することを含む。この状態において、オペレーターが2秒より多くリセットキーを押すと、システムは状態2に進む。オペレーターがセットアップキーを押すと、システムは状態3に進む。オペレーターはまた、流体モニター（図示されていない）の電力スイッチを押すことによって、流体モニターの電力を下げることができる。
システムが状態４にあり、オペレーターが記録／待機キーを押すと、システムは、システムがデータを記録し表示する準備をするところの状態5に進む。システムは、潅注剤バッグおよび収集キャニスターのすべての現在の重量を捕らえる。もし、システムがなお、いかなるデータをも記録しなければならないなら、その時、これらの重量はベースラインの出発値として使用される。また、もしこれが新しい手順の開始であるなら、システムは、システムID、流体タイプおよび流体損失警報閾値を含むデータをロギングし始める。さもなければ、もしシステムがデータ記録の中間にあるなら、現在の重量を使用して、流入体積、流出体積および流体損失体積を計算する。システムは次に状態6に進み、データを記録する。
使用者はまた、状態4にある間、適当なコンピュータからケーブルを接続し、コンピュータでユーティリティプログラムを実行することによって、先のデータのアップローディングを初期化することができる。これは、記録／待機キーを押す前になされる。
状態６において、システムは運転された事象であり、タイマーおよびキー入力を含む事象に対応する。かくして、このシステムは記録モードにある。タイマー事象中のシステムの操作は、図８に関して、より詳細に記載される。記録中にセットアップキーを押すとシステムは状態3に進み、記録／待機キーを押すとシステムは状態7に進む。システムが、流体損失体積が警報閾値を超えたことを検知すると、可聴および可視のアラームが作動する。可視アラームは、光る警報灯118を含む。オペレーターが無音アラームキーを押すと、システムは可聴アラームを2分間切る。しかし、その時間の後、警報状態がなお存在すると、可聴アラームは再び鳴る。可視アラームは、無音アラームキーに影響を受けない。
状態７において、システムは記録を終え、データをログにセーブする。システムは記録モードのままである。警報状態が最近に存在すると、システムはアラームの警告を伝え続ける。システムは次に状態４に進み、待機モードに入る。
図８は、流体レベルの損失を測定する方法の高水準フローチャートである。タイマーは毎秒より多く終了し得るけれど、好ましい実施態様では、システムは各秒に１度データを記録し、表示する。しかしながら、他の実施態様において、データがサンプリングされ、および／または表示される速度は変わり得る。
段階250において、システムは各潅注剤バッグの重量変化を測定する。各バッグの現在重量をはかり22で測定する。システムは、各潅注剤バッグのベースライン重量と現在重量との差を計算することによって、重量の変化を測定する。ここで、ベースライン重量は、バッグから患者へ流体が流れる前の潅注剤バッグの重量である。システムは次に、段階252において、潅注剤バッグのすべての重量の変化を合計する。潅注剤バッグの重量の全変化が、患者に入った流体の重量に等しいことを仮定する。
一旦システムがすべての潅注剤バッグの重量における全変化（すなわち流入重量）を測定すると、システムは段階254で、オペレーターにより選ばれていた流体の比重で全重量を割ることによって、流入体積を計算する。潅注剤バッグが空のとき、オペレーターは「バッグ交換」ボタンを押すことができる。このボタンは、流体モニターに、新しいバッグが加えられ、それで新しいベースライン重量が計算されるべきことを知らせる。好ましい実施態様において、システムは、潅注剤バッグが交換されるときを自動的に検知する。バッグの現在重量は、バッグが除去されると、まず典型的にはゼロになり、次いで新しいバッグがはかりに置かれると増加する。
システムが潅注剤バッグの交換を自動的に検知すると、システムは、バッグがまず除去され、次に取り替えられたことを流体モニターが検知する、可視および／または可聴の合図で使用者に信号を送ることができる。一旦、潅注剤バッグが取り替えられると、システムは次に、新しい潅注剤バッグについての新しいベースライン重量を計算する。
段階256において、システムは各収集キャニスターの重量変化を測定する。各キャニスターの現在重量をはかり26で測定する。システムは、各キャニスターのベースライン重量と現在重量との差を計算することによって、重量の変化を測定する。ここで、ベースライン重量は、患者から流体が流出する前のキャニスターの重量である。システムは次に、段階258において、キャニスターのすべての重量の変化を合計する。キャニスターの重量の全変化が、患者から出る流体の重量に等しい。一旦システムがすべてのキャニスターの重量における全変化（すなわち流出重量）を測定すると、システムは段階160で、オペレーターにより選ばれていた流体の比重で全重量を割ることによって、流出体積を計算する。
好ましい実施態様において、先に議論したように収集キャニスターを取り替えるときをシステムは自動的に検知する。収集キャニスターが取り替えられたことをシステムが一旦検知すると、システムは新しいキャニスターについての新しいベースライン重量を計算する。潅注剤バッグと収集キャニスターの両方の交換（再充填または空にすることを含む）を、システムは自動的に検知することができるが、システムはまた、特定の実施態様によって、1つのタイプの流体容器の交換を検知することだけができる。
患者に導入されおよび患者から集めた流体の同じ比重を用いたときのシステムが記載されるが、他の実施態様において、もしこれらの値が異なるなら、異なる比重を入れることができる。このように、本発明は、１つの比重に限定されない。
システムは次に、段階262で、全流体損失を計算する。全流体損失は、流入体積から流出体積を減じることによって計算される。このようにして、流体損失は、患者の流体保持を表す。好ましい実施態様において、もし結果が負の値（流体喪失を意味する）なら、流体損失はゼロにセットされる。
段階164において、システムは、流体損失が流体損失警報閾値より大きいかどうか決定する。流体損失が警報閾値より大きいか等しいなら、システムは可聴および可視のアラームをセットして、流体保持状態が存在することをオペレーターに警告する。システムは次に、流入体積、流出体積および流体損失を、ディスプレイパネル200の適当な読出しに表示する。
メモリにログされたデータは、直列の接続74を経てパーソナルコンピュータにアップロードされ得る。データがパーソナルコンピュータにアップロードされた後、フラグが流体モニターのシステムメモリにセットされて、最後の記録からログがアップロードされたことを示す。リセットキーを用いてシステムのリセットにより消去されるまで、データを流体モニターに保持する。
本発明はまた、潅注剤バッグおよび収集キャニスターに向かうのに必要とされる時間の量を減らす、患者の流体管理のためのシステムを提供する。重い潅注剤バッグを持ち上げ、かつ重い収集キャニスターを交換することの連続した必要性が減じられ、または除去される。このことは、オペレーターに、患者の流体状態に気を付けるのに払うための時間をより多く与える。好ましい実施態様において、システムは上記した流体モニターを使用し、これは連続して流入量、流出量および流体損失（それぞれの流体の重量から計算した）を連続的に表示する。
図９は、流入および流出容器が交換されなければならない頻度を減らす、流体保持管理のシステムを示す。流体保持管理システム300は、流体モニター24およびはかり22および26を支えるスタンド302を含む。このスタンドはまた、ウエストの高い装置カートであり得る。潅注剤キャニスター304がはかり22から吊り下がっている。潅注剤キャニスターは、潅注剤流体が患者の体に導入される前にそれを保持する。示されているように、潅注剤キャニスターは、それがしばしば交換され、または再充填されなければならないことがないように大きく（例えば20リットル）あり得る。
送り出しポンプ306は、潅注剤キャニスターから直接患者へ潅注剤流体をポンプで送る。このポンプは好ましくは、危険な圧力(例えば子宮内圧力）を防ぐために、適当な流動能力および安全機構を有する。1つの実施態様において、ポンプは、最大容量110mmHgおよびバックアップアラームセンサを備えた遠心ポンプである。これは、オペレーターが、所望の送り出し圧力を設定し、送り出し圧力が望まないレベルに達するかどうか注意するようにさせる。
潅注剤流体は、ポンプ306から患者へ管308を通って流れる。潅注剤流体は、患者から管310を通って流れ、収集キャニスター312に入る。収集キャニスターははかり26から吊り下げられ、好ましくは、収集キャニスターがしばしば交換され、または空にされなければならないことがないように大きい。収集キャニスターはまた、吸引装置（図示されていない）を、患者から流出する流体を増加させるために取付けることができる、取付け具314を有することができる。
1つの実施態様において、収集キャニスターは大きな折りたためる真空キャニスター（例えば20リットル）である。使い捨ての容器は、内部に堅い殻を適合させていて、それに真空が施与される。堅い殻はまた、外部から見える目盛りを含んでいて、オペレーターに、回収した流体の量を視覚的に見積もらせることができる。
収集キャニスターが、充分に高い体積の収集流体を提供するなら、オペレーターが収集キャニスターを交換し、それによってオペレーターの手が血液流体で汚染される必要なしに、高体積の手順が完了され得る。このように、１つの大きな潅注剤キャニスターおよび１つの大きな収集キャニスターが示されているけれど、流体体積はまた、キャニスターの数が増すことにより増加され得る。1つの実施態様において、潅注剤キャニスターおよび収集キャニスターは、それらが操作中に注意を注がれなければならないことがないように、一定の大きさにされ、数を数えられる。
図10は、流入および流出容器が交換されなければならない頻度を減らす、流体保持管理の別のシステムを示す。流体保持管理システム400は、流体モニター24およびはかり22および26を支えるIVポール402を含む。潅注剤キャニスター404ははかり22から吊り下がっている。潅注剤キャニスターは、潅注剤が患者の体に導入される前にそれを保持する。示されているように、潅注剤キャニスターは、しばしば交換され、または再充填されなければならないことがないように大きく（例えば20リットル）あり得る。
送り出しポンプ406は、潅注剤キャニスターから潅注剤バッグ408へ潅注剤流体をポンプで送る。このポンプは、IVポール上の比較的小さい（例えば250ml）潅注剤バッグ408を一定体積の流体で満たしておくために、適度の（予め決められた）圧力能力と、注意深く較正されたチェックバルブとを備えた遠心ポンプであり得る。潅注剤流体は潅注剤バッグから出て患者へ、管410を通って流れる。重力が、流体を患者へと押しやる。
潅注剤流体は患者から管412を通って流出し、収集キャニスター414に入る。収集キャニスターは、はかり26から吊り下げられ、好ましくは、それがしばしば交換され、または空にされなければならないことがないように大きい（例えば20リットル）。収集キャニスターはまた、吸引装置（図示されていない）を、患者から流出する流体を増加させるために取付けることができる、取付け具416を有することができる。
上記は、本発明の好ましい態様の完全な記載であるが、種々の代替形、変形および等価形が使用され得る。本発明は、上記した実施態様に適当な変形をすることにより等しく適用できることは明らかでなければならない。例えば、好ましい実施態様における秤量装置は、ロードセルを含むはかりであるが、他の秤量装置が使用できる(例えば圧縮はかり)。したがって、上記の記載は、添付した請求の範囲の境界および範囲によって規定された本発明の範囲を限定するように取られてはならない。
【図１】
0003822639.tif 000002
【図２】
0003822639.tif 000003
【図３Ａ】
0003822639.tif 000004
【図３Ｂ】
0003822639.tif 000005
【図３Ｃ】
0003822639.tif 000006
【図４】
0003822639.tif 000007
【図５】
0003822639.tif 000008
【図６】
0003822639.tif 000009
【図７】
0003822639.tif 000010
【図８】
0003822639.tif 000011
【図９】
0003822639.tif 000012
【図１０】
0003822639.tif 000013